【手続補正書】
【提出日】平成17年10月11日(2005.10.11)
【手続補正１】
【補正対象書類名】明細書
【補正対象項目名】発明の名称
【補正方法】変更
【補正の内容】
【発明の名称】情報提供システム及び情報提供方法
【手続補正２】
【補正対象書類名】明細書
【補正対象項目名】特許請求の範囲
【補正方法】変更
【補正の内容】
【特許請求の範囲】
【請求項１】
携帯端末と通信して情報の送受信を行う情報提供システムであって、
前記携帯端末の位置情報を取得する位置取得手段と、
前記位置取得手段により取得された、前記携帯端末の位置情報と、前記位置情報に付随する時間情報とを記憶する属性情報記憶手段と、
前記属性情報記憶手段に記憶された前記携帯端末の前記位置情報及び前記時間情報に基づいて、前記携帯端末を所持するユーザの趣向性を解析する解析手段と、
前記解析手段により得られた解析結果に基づいて、前記ユーザの趣向性に適した提供情報を取得し、前記携帯端末へ送信する送信処理手段と
を有することを特徴とする情報提供システム。
【請求項２】
上記位置取得手段は、上記携帯端末から上記位置情報を取得することを特徴とする請求項１記載の情報提供システム。
【請求項３】
上記位置取得手段は、上記携帯端末の接続されたときの位置を示す位置情報と、過去に存在していたことのある位置を示す位置情報とを取得することを特徴とする請求項１記載の情報提供システム。
【請求項４】
上記位置取得手段は、上記携帯端末へ情報の送信をするとき、上記携帯端末の位置情報と時間情報とを属性情報として取得し、この取得された属性情報を上記属性情報記憶手段に記憶させることを特徴とする請求項１記載の情報提供システム。
【請求項５】
上記位置取得手段は、上記携帯端末から送信された上記属性情報を取得し、これらの取得された情報を上記属性情報記憶手段に記憶させることを特徴とする請求項４記載の情報提供システム。
【請求項６】
上記属性情報記憶手段は、さらに、上記携帯端末がネットワーク上のサーバのアプリケーションで処理した結果と処理した日時に関する時間情報と含むログ情報を記憶することを特徴とする請求項１記載の情報提供システム。
【請求項７】
上記解析手段は、上記属性情報記憶手段に記憶された上記携帯端末の上記位置情報、上記時間情報及び上記ログ情報に基づいて上記ユーザの趣向性を解析することを特徴とする請求項６記載の情報提供システム。
【請求項８】
上記解析手段は、上記属性情報記憶手段に記憶された上記位置情報、上記時間情報及び上記ログ情報の統計処理を行い、前記統計処理結果から上記ユーザの趣向性を解析することを特徴とする請求項６記載の情報提供システム。
【請求項９】
上記解析手段は、上記属性情報記憶手段に記憶された情報に基づいて、上記ユーザがどこの場所で、どのようなアプリケーションを実行したのかを認識することを特徴とする請求項６記載の情報提供システム。
【請求項１０】
上記属性情報記憶手段は、さらに、上記ユーザに関する情報を含むユーザ情報を記憶することを特徴とする請求項６記載の情報提供システム。
【請求項１１】
上記解析手段は、上記属性情報記憶手段に記憶された上記ユーザ情報及び上記ログ情報に基づいて上記ユーザの趣向性を解析することを特徴とする請求項１０記載の情報提供システム。
【請求項１２】
上記送信処理手段は、上記解析手段により得られた解析結果に基づいて、上記ユーザに対して提供する提供情報として、上記ユーザが必要とする可能性が高い情報を上記携帯端末へ送信することを特徴とする請求項１記載の情報提供システム。
【請求項１３】
上記送信処理手段は、上記解析手段により得られた解析結果に基づいて、上記ユーザに対して提供する提供情報として、上記ユーザが移動する可能性が高い位置に関する情報を取得して上記携帯端末へ送信することを特徴とする請求項１記載の情報提供システム。
【請求項１４】
上記解析手段は、上記ユーザの趣向性を解析する毎に、上記解析結果を上記属性情報記憶手段に記憶することを特徴とする請求項１記載の情報提供システム。
【請求項１５】
携帯端末と通信して情報の送受信を行う情報提供システムで処理される情報提供方法であって、
前記携帯端末の位置情報を取得し、
前記取得された前記携帯端末の位置情報と、前記位置情報に付随する時間情報とを記憶し、
前記記憶された前記携帯端末の前記位置情報及び前記時間情報に基づいて、前記携帯端末を所持するユーザの趣向性を解析し、
前記解析によって得られた解析結果に基づいて、前記ユーザの趣向性に適した提供情報を取得して前記携帯端末へ送信する
ことを特徴とする情報提供方法。
【手続補正３】
【補正対象書類名】明細書
【補正対象項目名】０００１
【補正方法】変更
【補正の内容】
【０００１】
【発明の属する技術分野】
本発明は、携帯端末からの接続に関する様々な記録を蓄積しそれを解析することにより、ユーザの行動性や嗜好性等（以下、趣向性という。）を解析してユーザに適した情報サービスを提供する情報提供システム及び情報提供方法に関するものである。
【手続補正４】
【補正対象書類名】明細書
【補正対象項目名】００１２
【補正方法】変更
【補正の内容】
【００１２】
そこで、本発明は、サーバに接続することで得られる全てのユーザに関する情報を統合的に解析することで柔軟な情報の提供ができる情報提供システム及び情報提供方法を提供することを目的とするものである。
【手続補正５】
【補正対象書類名】明細書
【補正対象項目名】００１３
【補正方法】変更
【補正の内容】
【００１３】
【課題を解決するための手段】
上述の課題を解決するために、本発明は、  携帯端末と通信して情報の送受信を行う情報提供システムであって、前記携帯端末の位置情報を取得する位置取得手段と、前記位置取得手段により取得された、前記携帯端末の位置情報と、前記位置情報に付随する時間情報とを記憶する属性情報記憶手段と、前記属性情報記憶手段に記憶された前記携帯端末の前記位置情報及び前記時間情報に基づいて、前記携帯端末を所持するユーザの趣向性を解析する解析手段と、前記解析手段により得られた解析結果に基づいて、前記ユーザの趣向性に適した提供情報を取得し、前記携帯端末へ送信する送信処理手段とを有することを特徴とする。
【手続補正６】
【補正対象書類名】明細書
【補正対象項目名】００１４
【補正方法】変更
【補正の内容】
【００１４】
本発明に係る情報提供システムによれば、携帯端末を用いて接続したユーザに関する位置情報とログ情報と時間情報とを属性情報記憶手段に記録して、これらの情報を解析手段が解析することにより、前記ユーザの趣向性に適した提供情報を前記携帯端末へ送信することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、本発明は、携帯端末と通信して情報の送受信を行う情報提供システムで処理される情報提供方法であって、前記携帯端末の位置情報を取得し、前記取得された前記携帯端末の位置情報と、前記位置情報に付随する時間情報とを記憶し、前記記憶された前記携帯端末の前記位置情報及び前記時間情報に基づいて、前記携帯端末を所持するユーザの趣向性を解析し、前記解析によって得られた解析結果に基づいて、前記ユーザの趣向性に適した提供情報を取得して上記携帯端末へ送信することを特徴とする。
【手続補正１０】
【補正対象書類名】明細書
【補正対象項目名】００１８
【補正方法】変更
【補正の内容】
【００１８】
従って、本発明に係る情報提供方法によれば、取得された携帯端末の位置情報と前記位置情報に付随する時間情報とに基づいて、前記携帯端末を所持するユーザの趣向性を解析して、前記ユーザの趣向性に適した提供情報を前記携帯端末へ送信することができる。